(57)【要約】  エレクトロウェッティング光学素子は、第１の導電性流体及び第２の電気絶縁性流体を有する。本発明によると、前記第２の流体は、脂肪族環構造を含む化合物を有する。前記光学素子は、レンズ、ズームレンズ又はズームレンズシステムの一部であることができる。
2008541184.tif 000002
【特許請求の範囲】
【請求項１】
第１の電気的に影響を受けやすい流体及び第２の電気的に影響を受けにくい流体を持つ流体チャンバを有し、前記流体が相互に少なくとも実質的に不混和であり、メニスカスで分離される、光学エレクトロウェッティング素子において、前記第２の流体が、脂肪族環状構造を含む化合物を有することを特徴とする、エレクトロウェッティング素子。
【請求項２】
前記化合物が、少なくとも１つの環構造を持つアルカンである、請求項１に記載のエレクトロウェッティング素子。
【請求項３】
前記アルカンが、２以上の環構造を有する、請求項２に記載のエレクトロウェッティング素子。
【請求項４】
前記環状構造がシロキサンである、請求項１に記載のエレクトロウェッティング素子。
【請求項５】
前記第２の流体が、前記脂肪族環状構造を持つ化合物に加えて、他の無極性又は絶縁化合物を有し、前記他の無極性化合物が、少なくとも５０重量％の量で存在する、請求項１に記載のエレクトロウェッティング素子。
【請求項６】
前記素子がレンズである、請求項１乃至５のいずれか一項に記載のエレクトロウェッティング素子。
【請求項７】
前記素子が、第１及び第２のメニスカスを有するズームレンズである、請求項６に記載のエレクトロウェッティング素子。
【請求項８】
少なくとも１つの請求項６に記載の素子を有するレンズシステム。
【請求項９】
第１の電気的に影響を受けやすい流体及び第２の電気的に影響を受けにくい流体を持つ流体チャンバを設けられ、前記流体が相互に少なくとも実質的に不混和であり、メニスカスで分離される、第２のエレクトロウェッティング素子を更に有する、請求項８に記載のレンズシステム。
【請求項１０】
前記第１及び第２の素子の前記メニスカスが、光軸に沿って配置され、各々が、前記光軸に垂直な面に対して湾曲を持ち、前記第１及び第２の素子の前記メニスカスの前記湾曲が、前記レンズシステムの少なくとも１つの状態において前記光軸に沿って反対方向に向けられる、請求項９に記載の第１及び第２のエレクトロウェッティング光学素子のレンズシステム。
【請求項１１】
前記第１及び第２のメニスカスが、光軸に沿って配置され、各々が、前記光軸に垂直な面に対して湾曲を持ち、前記第１及び第２のメニスカスの湾曲が、前記レンズシステムの少なくとも１つの状態において前記光軸に沿って反対方向に向けられる、請求項７に記載の第１及び第２のメニスカスを持つエレクトロウェッティング素子を有するレンズシステム。
【請求項１２】
請求項１ないし７のいずれか一項に記載のエレクトロウェッティング素子又は請求項８ないし１１のいずれか一項に記載のレンズシステムを有する電子装置。
【請求項１３】
請求項１０又は１１に記載のレンズシステムを駆動する方法。
【発明の詳細な説明】
【技術分野】
【０００１】
本発明は、第１の電気的に影響を受けやすい（electrically susceptible）流体及び第２の電気的に影響を受けにくい（electrically less susceptible）流体を持つ流体チャンバ（fluid chamber）を有するエレクトロウェッティング光学素子に関し、前記流体は、相互に、少なくとも実質的に不混和であり、メニスカス（meniscus）越しに分離されている。
【０００２】
本発明は、レンズとして機能するこのようなエレクトロウェッティング光学素子を有するレンズシステム及び前記エレクトロウェッティング光学素子又は前記レンズシステムを有する電子装置にも関する。
【０００３】
本発明は、更に、レンズシステムを駆動する方法に関する。
【背景技術】
【０００４】
このような光学素子は、例えば米国特許出願ＵＳ−Ａ２００２／０１７６１４８から既知である。この既知の素子はレンズであり、第１の流体としての塩溶液及び第２の流体としてのシリコーンオイルを持つ閉じた流体チャンバを有する。これらのエレクトロウェッティングレンズは、機械的可動部が必要とされないので、少量の電力により焦点を変化させることができる。エレクトロウェッティング光学素子の他の例は、ダイヤフラム、カラーフィルタ、ディスプレイ、プリズム、ビーム偏向子及びＸ線機器に対するフィルタ等を含む。
【０００５】
エレクトロウェッティング素子の動作は、電極が無極性表面により前記流体チャンバから分離されていることに基づく。前記第１の流体は、前記第２の流体より電場の影響を受けやすいので、前記流体の運動が誘発されることができる。前記第１の流体は、前記電極と前記第１の電気的に影響を受けやすい流体との間の電圧差の印加下のみに、この電極に向かって移動し、前記無極性表面を濡らす。前記第１の流体の運動及び結果として前記第２の流体の運動は、前記メニスカスの形状の変化を引き起こす。
【０００６】
前記エレクトロウェッティング素子の適切な動作は、前記流体の性質に依存する。まず、電場に対する電気的な影響の受けやすさに差が存在する必要がある。前記第１の流体は、例えば導電性であるのに対し、前記第２の流体は、電気的に絶縁性である。代替的には、前記第１の流体が極性材料を有するのに対し、前記第２の流体が無極性材料を有する。
【０００７】
レンズに関して、例えば、前記第１及び第２の流体の屈折率が異なることが必要とされる。前記レンズの向きが前記メニスカスの形状に影響を与えないようにするために、前記流体の密度が同様又は同じであることが好ましい。したがって、段落８４及び図２に開示された従来技術の素子の前記第１の流体、塩溶液は、１．３８の屈折率及び１．０６ｋｇ／ｌの密度を持つ。前記第２の流体は、１．４９の屈折率及び１．０６ｋｇ／ｌの密度を持つ。この屈折率の差は、適切な屈折力（optical power）を持つレンズを生じる。
【０００８】
しかしながら、多くのエレクトロウェッティングレンズが、色収差の結果として前記レンズの全幅にわたり適切に機能しないことが分かった。この収差は、屈折率が放射線の波長に依存する結果である。したがって、前記屈折力は、波長に依存する。この問題は、光学分野で周知であるが、これらのレンズは、前記メニスカスの半径に依存して正から負へ屈折力を変更するので、前記問題の解決は、エレクトロウェッティングレンズに対して困難である。結果として、色収差に対する寄与は、従来のレンズのように固定ではなく、前記レンズの屈折力を変更する場合に変化する。この色収差の問題は、ズームレンズに対する屈折力の要件が適切な流体の選択を制限するので、ズームレンズにおいて特に強くなる。しかしながら、これは、単一のエレクトロウェッティングレンズにも関連する。色収差は、ダイヤフラムを増大することにより、すなわち光の通過に対する開口を小さくすることにより、制限されることができる。前記ダイヤフラムは、同時に、前記レンズに入る光の量を調整するのに使用される。したがって、制限された色収差に対する前記ダイヤフラムにおける増大は、適切な写真を作成するのに必要とされる光強度に対して、より高い制限を設定する。
【発明の開示】
【発明が解決しようとする課題】
【０００９】
したがって、本発明の目的は、十分な屈折力及び限定的な色収差を持つにもかかわらず機械的安定性要件を満たす、冒頭の段落に記載された種類のエレクトロウェッティング素子を提供することである。
【課題を解決するための手段】
【００１０】
この目的は、前記第２の流体が、脂肪族環状構造を含む化合物を有することにより達成される。この種類の材料は、（より高い屈折力をもたらす）より高い屈折率を持ち、色収差性質は、環状構造無しの対応する材料と同じ又はより小さいことが分かっている。これは、一般に、分散（dispersion）が、屈折率の増加に対して増加する点で意外である。分散効果は、一般に、屈折率の波長依存性の尺度であるアッベ数で表される。これは、
Ｖ＝(ｎd−１)/(ｎF−ｎC)
と定義され、ここでｎd、ｎF及びｎCは、ヘリウムのｄ線（５８７．６ｎｍ）、水素のＦ線（４８６．１ｎｍ）及び水素のＣ線（６５６．３ｎｍ）に対する屈折率である。Ｖの低い値は、屈折率の波長に対する強い依存性に対応し、高い値は、波長に対する低い依存性を示す。
【００１１】
表１にリストされた結果から導き出されることができるように、シクロヘキサン及びシス‐デカリンのような環状構造を持つ化合物は、環状構造を持たない同等物、すなわちｎ‐ヘキサン及びｎ‐デカリンと同様のアッベ数を持つが、同時に、屈折力は強化される。加えて、環状構造を持つ化合物の密度が、環状構造を持たないものより実質的に高いことが見つかっている。したがって、単純な非環状脂肪族化合物は、低い密度の結果として実際には使用されることができないが、環状構造を持つ脂肪族化合物は使用されることができる。
【００１２】
本出願に関連して、用語'脂肪族環状構造を持つ化合物'は、部分的に又は完全に環状化合物を指し、ここで、環は非芳香族であり、すなわち、非局在化電子を持たない。好ましくは、これは、二重結合又は三重結合がなく、Ｃ−Ｏ、Ｓｉ−Ｏ及びＣ−Ｃ結合のような飽和結合のみを含む。ここで、飽和結合のみを持つ化合物が好ましいが、前記化合物が不飽和結合を含むことは除外されない。前記化合物は、Ｓｉ（シロキサン）又はＯ（エステル、エーテル）のような１以上のヘテロ原子を含む鎖を持ちうる。シロキサンの場合、前記環状構造は、−Ｏ−(Ｒ2)Ｓｉ(Ｒ1)−ユニットから構築されることさえでき、ここでＲ1及びＲ2は、特に、メチル又はエチルのようなアルキル基である。また、この環状構造は、結合が局在化され、一重であり、前記環状構造が固くないが、複数の分子構造を可能にするので、脂肪族構造として適切に記載されると思われる。
【００１３】
有利には、前記脂肪族環状構造を持つ化合物は、アルカンである。アルカンの無極性は適切であり、これらの化合物の屈折率は比較的高く、すなわち１．４０より高い。多環状の脂肪族化合物は、１．４５以上の屈折率を考慮すると、適切な密度及び５０以上又は５５以上の適切なアッベ数と組み合わせて、更に有利である。
【００１４】
従来技術のシリコーンオイルも１．４０以上の屈折率を持つことが分かる。１．４９の屈折率及び１．０６ｋｇ／ｌの密度を持つシリコーンオイルは、例えばDow CorningのＤＣ５５０である。このシリコーンオイルは、水に対する１ｍｍ2／ｓと比べて１２５ｍｍ2／ｓの粘度を持つ。このような粘度は、前記レンズの切り換え速度を効果的に実質的に減少する。他方で、シクロヘキサンは、０．８９４ｍＰａｓの粘度を持つ（Merckのデータ）。加えて、及び更に重要なことに、屈折率及び密度は、シリコーンオイルネットワーク内のフェニル基の存在を示唆する。このタイプのシリコーンオイルは、しかしながら、非常に低いアッベ数を持ち、前記非常に低いアッベ数は、前記タイプのシリコーンオイルをズームレンズにおける使用に対して不適切にする。
【００１５】
好ましくは、前記化合物は飽和化合物である。不飽和化合物は、アッベ数を減少することが分かっており、したがって、色収差の問題を増大する。エレクトロウェッティング素子に対して、無色化（achromatisation）は、
Ｖ1(ｎd,2−１)/Ｖ2(ｎd,1−１)＝１  （１）
の場合に生じることが分かっている。
【００１６】
ここで、Ｖはアッベ数であり、ｎdは５８７．６ｎｍの波長における屈折率であり、下付き文字は前記流体を指す。表１のデータから明らかなように、前記飽和化合物は、不飽和の同等物より１．０に近い値を持つ。これは、屈折率間の大きな差が望まれる又は必要とされる、ズームレンズのような、素子又はシステムに対して特に重要である。前記素子又はシステムにおいて、完全な無色化を達成するのは非常に難しいことが分かっている。
【００１７】
更に他の実施例において、前記化合物は、１以上の基で置換される。適切な置換は、ハロゲン、カルボニル基、アセタール、スルホキシル基（ＳＯ3）、硫黄（ＳＯ2）、硫化物、ニトロ基を含む。有利には、前記第２の流体内の極性分子がエレクトロウェッティングにおける印加電圧に反応するので、前記置換は、実質的な極性を持ち込まない。これは、より悪いエレクトロウェッティング性能を引き起こす。したがって、前記置換は、対称な形で適切に提供される。極性基の対称な置換が最も適切であると見なされる。ハロゲンは、密度を増加する能力の観点から適切な置換と見なされるが、環境的に望ましくないという不利点を持つ。
【００１８】
前記脂肪族環構造を持つ化合物は、混合されるが主要な成分として又は他の流体に溶解されてのいずれかで存在してもよい。これは、前記エレクトロウェッティング素子が機能すべき温度の全範囲にわたり液体ではないこのような化合物に対して特に興味深い。この範囲は、携帯電話のレンズに対して、一般に、０℃以下から５０℃まで、又は−３０℃から７０℃まで広がる。適切には、前記脂肪族環構造を持つ化合物は、１ないし８０重量％、好ましくは５ないし５０重量％、更に好ましくは８ないし２５重量％の量で、存在する。屈折率の増加に加えて、この混合は、前記第２の流体の粘度を減少することができる。これは、前記メニスカスの切り換え時間を減少するのに適切である。
【００１９】
混合物の最も好ましい例は、混合された化合物の各々が他の性質を持つ、すなわち１つ目は５０以上の高いアッベ数を持ち、２つ目は１．４０以上の大きな屈折率を持ち、３つ目は大きな密度を持つものである。
【００２０】
適切な化合物は、シクロペンタン、シクロヘキサン、シクロヘプタン、シクロオクタンのようなシクロアルカン、メチル‐、エチル‐、ｎ‐プロピル‐、イソプロピル‐シクロヘキサン及びシクロヘキシル‐シクロヘキサンのような、アルキル置換シクロアルカン、シス‐デカリン、トランス‐デカリン、ビシクロヘキサン、ビシクロペンタン、ビシクロブタン、ペルヒドロフルオレン、ペルヒドロナフタレンのようなビシクロアルカン、プロペラン（Ｃ5Ｈ6）、ハウサン（Ｃ5Ｈ8）、キュバン（Ｃ8Ｈ8）、メチルキュバン（Ｃ9Ｈ10）、ロータン（rotane）、テトラヘドラン（Ｃ4Ｈ4）、トリプリズマン（Ｃ6Ｈ6）、スピロヘプタン（Ｃ7Ｈ12）、ノルボルナン、スクアラン・アダマンタンのような他の多環状脂肪族化合物を含む。クラウン・エーテルも使用されうる。
【００２１】
前記多環状脂肪族化合物の使用は、特に、溶液又は混合物において好ましい。最も適切には、溶媒が、これ自体、環状化合物である。溶液／混合物の特定の例は、シクロヘキサン内のシス‐デカリン、ヘキサン又はシクロヘキサン内の１０−２０％のキュバン、シクロオクタン又はペルヒドロナフタレン内の５−１５％のアダマンタンを含む。
【００２２】
他の適切な化合物は、ヘキサメチル‐シクロトリシロキサン、ドデカメチルシクロヘキサシロキサン及びオクタメチルシクロテトラシロキサンのような環状シロキサンである。ヘキサメチルシクロトリシロキサンは、特に、６５℃の融解温度の観点から溶解された化合物として適している。環状基、例えばシクロヘキサンによるこれらのシロキサン内のメチル基の置換は、アッベ数を高く保ちながら更に高い屈折率をもたらす。
【００２３】
適切には、前記第２の流体は、界面活性剤を更に有する。これは、必要とされる駆動電圧を減少し、前記第２の流体と前記流体チャンバの壁との間、又は両流体間で作用する。適切な界面活性剤は、例えば、ペンタフルオロトリメチルシラン、トリフルオロメチルトリメチルシラン、オクタノール、トリフルオロメチルトリエチルシランを含む。
【００２４】
本発明のエレクトロウェッティング素子の前記第１の流体は、特に、塩化ナトリウム、塩化カリウム又は特に塩化リチウムのような塩化物の塩溶液である。水の中への塩の導入は、一般に、屈折率を増加する傾向にあり、したがって、前記第１の流体と前記第２の流体との間の屈折率の差を減少する。塩化物を使用する場合、この屈折率の増加は、比較的限定的である。これらの塩は、したがって、必要とされる電気的影響の受けやすさだけでなく、低温における前記素子の使用を可能にするために凝固点の降下をも提供するのに十分な量を追加されることができる。代わりに、例えば、限定的濃度の塩溶液を使用してもよく、凝固点降下のために他の化合物を加えてもよい。前記塩溶液の適切な濃度は、特に、１モル／リットル、０．５モル／リットル以下又は０．２モル／リットル以下である。凝固点降下のための適切な化合物は、例えばアルコール、特に低級脂肪族アルコールである。一例は、メタノールである。
【００２５】
好ましくは、本発明のエレクトロウェッティング素子は、ズームレンズ又はズームレンズとして機能するレンズシステムの一部である。十分な屈折力を持つ制限された色収差の要件は、特に、ズームレンズに対して重要である。特定のエレクトロウェッティングズームレンズは、２つのメニスカスを含むレンズである。これらのメニスカスは、単一の流体チャンバ内に存在しうるが、安定性及び標準化された製造の理由で、光路内で直列の２つの流体チャンバを使用することが好ましい。通常のエレクトロウェッティングレンズに加えて、国際特許出願ＷＯ−Ａ２００４／３８４８０に開示されるようなバイナリ・エレクトロウェッティングレンズが使用されることができる。２つのエレクトロウェッティングレンズの使用の代わりに、前記ズームレンズが、単一のエレクトロウェッティングレンズのみを有することは除外されない。この単一のレンズは、ズーム効果を達成するように従来の形で移動されてもよい。第１の代替例は、しかしながら、第２のレンズが、液晶レンズのような代替タイプの可変焦点レンズであるものである。第２の代替例は、更に、追加のレンズが従来のタイプのものであり、単一のエレクトロウェッティングレンズが第２のレンズとして機能するものである。
【００２６】
第１のエレクトロウェッティングレンズ及び第２の可変焦点レンズを持つズームレンズの色収差の効果は、適切な駆動機構を用いて更に減少されることができる。当該機構によると、両方の前記レンズのメニスカスは、２つの末端、すなわち望遠レンズ（telelens）の末端と広角レンズ（wide-angle lens）の末端との間の真ん中（halfway）の位置において平らである。前記メニスカスが反対方向に同じ湾曲（curvature）を持つような形で切り換えることにより、両方のレンズの色収差は、少なくとも部分的には相殺されることができる。このような切り換えは、前記真ん中の位置と広角位置又は望遠位置との間の全ての中間の位置に対して実行される必要はない。末端位置のみに対してこれを行うことは十分でありうる。更に、色収差が相殺されている画像の情報は、画像センサの誤差補正に使用されることができる。この駆動機構は、本発明のエレクトロウェッティング素子と共に適切に使用されることができるが、この特定の素子に限定されない。
【００２７】
前記ズームレンズ内の前記エレクトロウェッティングレンズ及び前記他の可変焦点レンズが同一である場合、前記平らなメニスカスの位置は、単純に前記２つの末端の真ん中である。前記レンズが異なる場合、前記末端位置は、前記２つのレンズの色収差が実質的に互いに相殺する位置として選択されることができる。前記広角配置における色収差の方が一般に大きいので、前記平らなメニスカスの位置が、前記広角配置のものと真ん中の配置との間であることが好ましいと思われる。
【００２８】
本発明のエレクトロウェッティング素子又は前記素子を持つレンズシステムは、画像センサ又は発光ダイオード等と一体化され、光電子工学サブアセンブリを形成することができる。これは、再び、携帯電話、顕微鏡、照明装置のような電子装置に組み込まれることができる。
【００２９】
本発明のこれら及び他の態様は、図面を参照して更に説明される。
【００３０】
異なる図の等しい参照番号は、等しい又は似ている部分を指す。図は、純粋に概略的であり、正しい縮尺で描かれていない。
【発明を実施するための最良の形態】
【００３１】
図１は、本発明の好適な実施例による可変焦点レンズパッケージ２を概略的に示す。
【００３２】
可変焦点レンズ２は、金属のような導電性材料を有する層により少なくとも部分的に覆われたプラスチック環状ボディ１０を有する。前記導電層は、パリレンのような電気絶縁材料を有する層により覆われ、前記電気絶縁層は、疎水性材料を有する層により覆われる。ボディ１０の一部を覆うこの３つの層は、参照番号１６により示される線を用いて図１に概略的に描かれている。
【００３３】
可変焦点レンズ２のボディ１０は、外側部分に配置された‐ベベリング（bevelling）‐面１３を有する。更に、底部側において、ボディ１０は、環状溝１７を備える。
【００３４】
ボディ１０のスルーホール１１は、ボディ１０の底部側に配置された底部レンズ部材３０及びボディ１０の上側に配置された上部レンズ部材７０を用いて閉鎖される。両方のレンズ部材３０及び７０は、いわゆるレプリカレンズとして形成される。このようなレンズは、ガラスベースプレート３２、７４及びプラスチックレンズボディ３１ａ、３１ｂ、７５ａ、７５ｂを有し、前記プラスチックを成形する鋳型と、前記鋳型の中の前記プラスチックを硬化し、架橋結合を達成するＵＶ光とを使用するレプリカ技術で製造される。好ましくは、架橋結合密度は、少なくとも０．０５であり、好ましくは、０．０８‐０．１５のオーダである。外側レンズボディ３１ｂ、７５ｂは、位置合わせ手段３３、７６を有する。これらの位置合わせ手段３３及び７６は、ここで、環状を持つように設計されているが、これは必要ではない。本例において、前記位置合わせ手段は、レンズ部７５ｂ、３１ｂと同じ高さを持つが、これは決して必要なことではなく、この成形技術は、望ましければ高さの変更を可能にする。
【００３５】
可変焦点レンズ２は、ボディ１０と、上部レンズ部材７０の底面と、底部レンズ部材３０の上面により区切られる流体チャンバ８５を密封するシーリングリング５０を有する。シーリングリング５０は、ボディ１０の突き出た環状部分１８及び１９と上部レンズ部材７０のベースプレート７４との間に配置される。前記レンズの設計は、望まれるならば１より多いシーリングリングを含むように修正されることができる。
【００３６】
底部レンズ部材３０の上面３６及び上部レンズ部材７０の底面７６の両方において、位置決めリング３８、７７が、レンズ部材３０、７０上に配置される。位置決めリング３８、７７は、レンズ部材３０、７０を互いに対して及びボディ１０のスルーホール１１に対して位置合わせする際に関与する。一方で、底部位置決めリング３８の外径は、底部レンズ部材３０がボディ１０に対して設置される場合に、底部位置決めリング３８の外周が、ゆとりの存在無しでボディ１０の外壁４５に接触するように選択される。このようにして、底部レンズ部材３０のレンズボディ３１の中心軸は、ボディ１０のスルーホール１１の中心軸に対して正確に位置合わせされる。他方で、上部位置決めリング７７の外径は、上部レンズ部材７０がボディ１０に対して設置される場合に、上部位置決めリング７７の外周が、ゆとりの存在無しで直立壁４６に接触するように選択される。このようにして、上部レンズ７０のレンズボディ７５の中心軸は、ボディ１０のスルーホール１１の中心軸と正確に位置合わせされ、結果的に底部レンズ部材３０のレンズボディ３１の中心軸とも正確に位置合わせされる。
【００３７】
様々なレンズパッケージ素子１０、３０、５０、６０、７０を互いに対して固定する目的で、クランピングユニットが使用されることができるが、しかしながら描かれていない。クランピングユニットは、例えば、ボディ１０に対して上部レンズ部材７０を固定するように設計され、シーリングリング５０は、上部レンズ部材７０とボディ１０との間に固定される。
【００３８】
可変焦点レンズ２は、第１の流体、例えば塩水溶液８６及び第２の無極性流体８７を有する。第１の流体８６及び第２の流体８７は、流体チャンバ８５内に存在し、第１の流体８６は、流体チャンバ８５の底部側に位置し、第２の流体８７は、流体チャンバ８５の上側に位置する。前記第１及び第２の流体の場所が逆である、及び前記第２の流体が液滴として形成される、流体チャンバ８５の他の設計が可能である。第１の流体８６及び第２の流体８７は不混和であり、メニスカス８８により分離される。このメニスカス８８の形状は、前記塩溶液に対する前記疎水性層の湿潤性が電圧の印加下で可変なので、ボディ１０の導電性層と第１の流体８６との間の電圧の影響下で可変である。
【００３９】
本発明の実験において、第１の流体８６として０．１ＭのＫＣＬ塩溶液を使用した。この溶液は、５８９ｎｍにおいて屈折率ｎD＝１．３３４２及びアッベ数Ｖ＝５７．６を持つ。表１に示されるように、多数の流体が第２の流体８７として試験された。
【表１】
2008541184.tif 000003
【００４０】
表１において、グループＡは、６つの炭素原子の鎖を持つアルカンを示す。線形のｎ‐ヘキサン（Ａ１）は、０．０４０４だけＫＣＬ溶液との屈折率の差を持つ。前記鎖を環状にする（Ａ２）ことは、この差を０．０９１７まで２倍以上にし、アッベ数は５７．６から５６．８までしか減少しない。比較のため、１‐ヘキサンが与えられる。１‐ヘキサンは、ｎ‐ヘキサンと比較されることができるが、初めの炭素原子において二重結合を持つ。二重結合は屈折率を増加するが、アッベ数を高く保たず、すなわち屈折率の差０．０５３８は、ｎ‐ヘキサンより少しだけ高いが、アッベ数は４７．９まで著しく減少する。これは、分散に関して、鎖を環状にすることが、二重結合を作成するより屈折率を増加する良い方法であることを明らかに示す。トルエンは、管状鎖及び三重結合を持つ。これは、同じく７つの炭素原子を持つｎ‐ヘプタンと比較して大幅に高い屈折率差（０．１６２０）をもたらす。しかしながら、アッベ数を許容不可能なほど低くする（３１．０）。
【００４１】
グループＢにおいて、線形のｎ‐デカンは、これをシス‐デカリンにすることにより向上される。この流体は、２つの環状リングを持つ分子からなる。屈折率は強力に上昇するが、アッベ数は高いままである。３つの環状リングを持つペルヒドロフルオレンは、依然として高いアッベ数とともに更に高い屈折率を持つ。
【００４２】
グループＣにおいて、線形のシリコーンオイルが、環状シリコーンオイルと比較される。屈折率は環状オイルに対して上昇し、アッベ数までもが線形のオイルより高い。
【００４３】
正の副作用は、環状分子に対する密度の増加である。好ましくは、極性流体及び無極性流体は、密度適合されている。しかしながら、通常は、無極性流体は、極性流体より密度が小さい。線形から環状に鎖を変更することは、密度差を減少する。
【００４４】
図２は、可変焦点レンズ２の第２の実施例の分解図を概略的に示す。底部レンズ部材３０は、３つの層を持つレプリカレンズを有する。前記レプリカレンズは、中心部が凹レンズボディを構成するプラスチック底部レンズ層３１ａと、中心部が凸レンズボディを構成するプラスチック上部レンズ層３１ｂとの間に挟まれたガラスベースプレート３２を有する。更に、図示された例において、上部レンズ部材７０もレプリカレンズを有する。上部レンズ部材７０のこのレプリカレンズは、ガラスベースプレート７４と、中心部が凸レンズボディを構成するプラスチック上部レンズ層７５とを有する。ガラスプレート３１の反対側におけるレプリカレンズ３１ａ及び３１ｂは、同じ組成を持つ必要が無いことが分かる。ジアクリレート層は、層３１ａに適しており、ＨＤＤＡレプリカは、層３１ｂに適している。前記レンズは、層３１ｂの側面において、スパッタリング処理におけるＵＶ吸収コーティング及び反射防止コーティングのようなコーティングを備える。適切な反射防止コーティングは、酸化チタニウム、酸化ケイ素及び／又は酸化タンタルを有する。より特定的な実施例において、前記レプリカレンズは、液晶レンズである。このような液晶レンズは、固体の重合体ボディ及び切り換え可能な液晶混合物を持つ。線形偏光子は、前記レンズの上部に適切に備えられる。従来の偏光子は、典型的には、約５０％の光を吸収するので、２つの液晶セルは、各偏光方向に対して１つ‐重ねられることができる。好ましくは、液晶材料は、互いに直交して向けられる。このような液晶レンズの製造は、参照によりここに含まれる公開前の出願ＷＯ−ＩＢ２００５／５０２７０（ＰＨＮＬ０４０１０７）に記載されている。
【００４５】
レンズ２の特徴は、ボディ１０自体が、レンズ２の電気コネクタとして使用されることができることであり、ボディ１０に接触する追加の素子が使用されることは必要ではない。ボディ１０と底部レンズ部材３０の層３７との間の短絡を避けるために、ボディ１０の底面２６は、少なくともボディ１０が底部レンズ部材３０上にある領域において、電気絶縁層２７により覆われる。図示されたボディ１０は、ボディ１０の内側部分１２の端部において底部レンズ部材３０の上面３６に接触しないように設計される。
【００４６】
ボディ１０は、底部レンズ部材３０を固定するクランピングアーム（図２に図示されない）を有してもよい。しかしながら、ボディ１０の一体部分として形成されたものではない、ボディ１０に対して底部レンズ部材３０を固定するクランピング手段が設けられることも可能である。上部レンズ部材７０は、如何なる適切な方法で、例えばクランピング手段を用いて、ボディ１０に対して固定されてもよい。
【００４７】
ボディ１０により構成される前記コネクタのほかに、可変焦点レンズ２は、好ましくは、底部レンズ部材３０の導電層３７を介して水と接触するように、この層３７と接触する他のコネクタ（図２に図示されない）を含む。このコネクタは、如何なる適切な形で成形及び構成されてもよく、前記コネクタがボディ１０と接触しないことが重要である。
【００４８】
可変焦点レンズ２は、携帯電話及びデジタル記録機器において使用する光学走査装置のような、ハンドヘルド装置において使用されることができる。複数のレンズ２が一列に配置されてもよく、レンズ２のスルーホール１１は、ズームレンズを作成するために、互いに対して位置合わせされる。レンズ２は、ガラスプレート３０の両側にレンズ部分を持つように図示されているが、これは必要ではなく、外側のみに設けられることで十分である。本発明によるレンズ２は、特に、画像センサ及び内部接続ボディを更に有するカメラにおける応用を対象とし、前記内部接続ボディは、前記内部接続ボディの第１の面及び第２の面上に配置された導電性トラックを有し、前記導電性トラックは、電子装置を駆動するために前記画像センサ及び可変焦点レンズ２の両方の間に、又は接触パッドに対する接続を確立することができるように成形される。前記カメラは、上述のハンドヘルド装置の一部であってもよく、これは、入力手段、情報処理手段及び表示手段を更に有してもよい。
【００４９】
本発明が、図に示されたような特定のパッケージに限定されないことが分かっている。国際出願ＷＯ−Ａ２００４／９９８４７から既知であるような他のパッケージが、代わりに使用されてもよい。
【００５０】
図３は、第１のエレクトロウェッティングレンズ素子２及び第２のエレクトロウェッティングレンズ素子１０２を有するエレクトロウェッティングズームレンズの一例を示す。この装置は、導電性材料の円柱状ボディ１０を有する。ボディ１０は、絶縁層１２８でコーティングされる。円柱状ボディ１０の内側には、流体接触層１３０を備える。導電性円柱１０は、レンズ素子２及び１０２に対して共通の第１の電極を形成する。第１のレンズ素子２の第２の電極は、放射線を透過する中心透明領域を持つ環状導電層１３２により構成される。下側における導電層１３４は、第２のレンズ素子１０２の第２の電極を形成する。透明層１３６及び１３８は、導電層１３２及び１３４をそれぞれ覆うことができる。前記円柱の中心部分は、透明且つ非導電性液体又は蒸気８７、すなわち脂肪族環構造を持つ化合物を有するオイルで満たされる。オイル８７の各側において、第１の透明かつ導電性液体８６、１８６が存在し、前記液体は、‐第２の‐非導電性液体８７より低い屈折率を持つ。前記導電性液体は、本例において、塩溶液、例えば０．１ＭのＫＣｌである。上側における不混和流体は、前記第１の可変焦点レンズ素子を形成する第１のメニスカス８８により分離される。下側における流体１８６及び８７は、前記第２の可変焦点レンズ素子を形成する第２のメニスカス１８８により分離される。前記メニスカスの曲率、したがってレンズ素子２４及び２６の焦点距離は、制御可能な電圧源１４４及び１４６をそれぞれ用いて互いに独立に変更されることができる。
【００５１】
本発明によると、前記メニスカスは、２つの末端ズーム配置（ＷＩＤＥ、ＴＥＬＥ）の真ん中の値において平らであるような形にセットされる。この間の位置をハーフズーム（ＨＡＬＦ）と称する。このハーフズーム位置において、前記メニスカスは平らであり、流体焦点レンズは、実質的に色収差が無い。結果として、両方の末端ズーム位置における色収差は、反対の符号を持つ。これは、脂肪族環構造を持つ化合物を含む本発明の第２の非導電性流体と組み合わせて、特に適切である。しかしながら、主に、これに限定されない。
【００５２】
より好ましい場合には、両方のメニスカスが両方とも平らである状況は、ＷＩＤＥ配置とＨＡＬＦ配置との間にあるべきである。これに対する理由は、前記ＷＩＤＥ配置において、光線は、最大角度でこのシステムを通過し、結果として一般にビームのより小さい角度を持つ前記ＴＥＬＥ配置より高い色収差を生じることである。
【００５３】
図４は、３つの異なる配置、すなわちＷＩＤＥ、ＨＡＬＦ及びＴＥＬＥにおけるズームレンズの一例を示す。前記ＷＩＤＥ配置において、視野は５６度であり、前記ＨＡＬＦ配置において４２度であり、前記ＴＥＬＥ配置において３２度である。本実施例の前記ズームレンズは、２つの別個のエレクトロウェッティングレンズを有する。２つの非球面プラスチックレンズが、前記エレクトロウェッティングレンズの間に存在する。絞り（stop）は、これら２つのプラスチックレンズの間に位置する。更に他の非球面プラスチックレンズは、画像センサが設けられることができる側面に配置される。各エレクトロウェッティングレンズに対して、前記第１の流体は、１．３３の屈折率及びＶ＝５７．６のアッベ数を持つ導電性液体である。前記第２の流体は、電気絶縁性流体である。この例において、両方のエレクトロウェッティングレンズが、同じ流体を含む。前記ズームレンズに存在する色収差を表す性質は、４５０ｎｍ（青）、５５０ｎｍ（緑）及び６５０ｎｍ（赤）の波長の光を使用する場合に形成されるスポットの横方向位置の差である。色収差のため、これらのスポットは一致せず、互いに対してシフトされている。
【００５４】
表２において、緑スポットに対する青及び赤スポットの相対的な横方向シフトが、異なる電気絶縁性流体を使用する場合のＴＥＬＥ及びＷＩＤＥ配置において与えられる。前記第１の電気絶縁性流体は、ｎ＝１．５０の屈折率及びＶ＝３１．０のアッベ数を持ち、表１のトルエンに対応する。第２の例は、ｎ＝１．５０及びＶ＝３８．２を持ち、従来技術のシリコーンオイルに対応する。第３の例は、ｎ＝１．５０及びＶ＝５５．７を持つ（表１のペルヒドロフルオレンに対応する）。換言すると、前記第１及び第２の例は、本発明によらず、前記第３の例が本発明による。前記シフトは、マイクロメートルで測定される。
【表２】
2008541184.tif 000004
【００５５】
表２は、高いアッベ数を持つ電機絶縁流体が少ない色収差をもたらすことを示す。これは、第２の電気絶縁性流体として脂肪族環状構造を含む化合物を選択することにより達成されることができる。
【図面の簡単な説明】
【００５６】
【図１】本発明のレンズの概略的な断面図である。
【図２】レンズの概略的な分解図である。
【図３】エレクトロウェッティングズームレンズの概略図である。
【図４】エレクトロウェッティングズームレンズの幾つかの状態の絵を示す。
【図１】
2008541184.tif 000005
【図２】
2008541184.tif 000006
【図３】
2008541184.tif 000007
【図４】
2008541184.tif 000008
【国際調査報告】
2008541184.tif 000009
2008541184.tif 000010
2008541184.tif 000011
2008541184.tif 000012
2008541184.tif 000013